(57)【要約】【課題】左右の側板に取り付ける左右の棚受け具上に棚板を載せるという発想から離れ、棚部材を背板に取り付ける着脱式取付棚装置を得る。【解決手段】横長スリット（貫通溝）を有する背板、該背板の前面に沿う後面壁と商品載置部とを有する棚部材、及び上記棚部材を背板に取り付けるための棚部材取付具を有し、上記棚部材取付具は、背板の上記横長スリットから挿入されて背板背面に沿う強度板部と、棚部材の上記後面壁に結合される棚部材結合部と、該強度板部と棚部材結合部を接続し、上記横長スリット内に位置する接続部とを有する着脱式取付棚装置。【選択図】図１
2016112269.tif 000002
【特許請求の範囲】
【請求項１】
横長の貫通スリットを有する背板、
該背板の前面に沿う後面壁と商品載置部とを有する棚部材、及び
上記棚部材を上記背板に取り付けるための棚部材取付具、
を有し、
上記棚部材取付具は、背板の上記横長スリットから挿入されて背板背面に沿う強度板部と、棚部材の上記後面壁に結合される棚部材結合部と、該強度板部と棚部材結合部を接続し、上記横長スリット内に位置する接続部とを有することを特徴とする着脱式取付棚装置。
【請求項２】
請求項１記載の着脱式取付棚装置において、上記背板と棚部材のうち、少なくとも背板は紙製であり、棚部材取付具は、合成樹脂材料製である着脱式取付棚装置。
【請求項３】
請求項１または２記載の着脱式取付棚装置において、棚部材取付具の棚部材結合部は、棚部材の後面壁の前面に沿う前面部と、該後面壁の後面に密着する後面部と、該後面壁に形成した横長スリット内に位置し該前面部と後面部を接続する接続部を有する断面クランク状をなしている着脱式取付棚装置。
【請求項４】
請求項１ないし３のいずれか１項記載の着脱式取付棚装置において、棚部材取付具の接続部の棚部材結合部側の端部には、棚部材の後面壁の上端部を挟み込んで該後面壁との結合強度を高める挟着部が設けられている着脱式取付棚装置。
【発明の詳細な説明】
【技術分野】
【０００１】
本発明は、背板に取り付けて用いる着脱式取付棚装置に関する。
【背景技術】
【０００２】
従来の着脱式棚（可動棚装置）は、棚本体の左右一対の側板にそれぞれ、高さ位置を調節可能な可動の棚受け具を取り付け、該左右の棚受け具の上に、棚本体とは別体の棚板を載置するという基本構成を有しており（特許文献１、２）、棚受け具の上に棚板を置くという発想から抜け出していない。
【先行技術文献】
【特許文献】
【０００３】
【特許文献１】特開２００１-２１８６３９号公報
【特許文献２】特開２００１-２９９４６９号公報
【発明の概要】
【発明が解決しようとする課題】
【０００４】
本発明に係る着脱式取付棚装置は、左右の側板に取り付ける左右の棚受け具上に棚板を載せるという発想から離れ、棚部材を背板に取り付けるという着眼に基づいて完成されたものである。
【課題を解決するための手段】
【０００５】
本発明に係る着脱式取付棚装置は、横長スリットを有する背板、該背板の前面に沿う後面壁と商品載置部とを有する棚部材、及び上記棚部材を上記背板に取り付けるための棚部材取付具を有し、上記棚部材取付具は、背板の上記横長スリットから挿入されて背板背面に沿う強度板部と、棚部材の上記後面壁に結合される棚部材結合部と、該強度板部と棚部材結合部を接続し、上記横長スリット内に位置する接続部と、を有することを特徴としている。
【０００６】
本発明の着脱式取付棚装置は、背板と棚部材のうち、少なくとも背板を紙製とすることができる。棚部材取付具は、合成樹脂材料から構成することが望ましい。
【０００７】
棚部材取付具は、棚部材の幅方向に離間させて一対を設けることが好ましいが、幅狭の棚部材では単一の棚部材取付具で棚部材を背板に取り付けることが可能である。
【０００８】
棚部材取付具の棚部材結合部は、例えば、棚部材の後面壁の前面に沿う前面部と、該後面壁の後面に密着する後面部と、該後面壁に形成した横長スリット内に位置し該前面部と後面部を接続する接続部を有する断面クランク状に形成することができる。
【０００９】
棚部材取付具の接続部の棚部材結合部側の端部には、棚部材の後面壁の上端部を挟み込んで該後面壁（棚部材）との結合強度を高める挟着部を設けることができる。
【発明の効果】
【００１０】
本発明に係る着脱式取付棚装置は、左右の側板に取り付ける左右の棚受け具上に棚板を載せるのではなく、背板に形成した横長スリットから、棚部材取付具の強度板部を通して、該強度板部を背板背面に沿わせ、棚部材取付具の結合部には棚部材の後面壁を結合することで、背板に棚部材を取り付けて支持することができる。従って、着脱式棚構造を多様化して技術を豊富にし、より広い商品の陳列要求に応えることができる。
【図面の簡単な説明】
【００１１】
【図１】本発明による着脱式取付棚装置の一実施形態を示す組立状態の斜視図である。
【図２】本発明による着脱式取付棚装置を構成する背板の部分斜視図である。
【図３】棚部材及び該棚部材の横長スリットに棚部材取付具を装着する途中の斜視図である。
【図４】棚部材取付具単体の斜視図である。
【図５】棚部材の後面壁に形成した横長スリットに棚部材取付具を装着する前の断面図である。
【図６】同装着途中の断面図である。
【図７】同装着完了状態の断面図である。
【図８】棚部材を装着した棚部材取付具を背板の横長スリットに装着する途中の断面図である。
【図９】同装着完了状態の断面図である。
【発明を実施するための形態】
【００１２】
図１ないし図９は、紙製（段ボール製）の背板１０に、同じく紙製（段ボール製）の棚部材２０を合成樹脂製の棚部材取付具（以下、取付具）３０によって取り付ける実施形態を示している。図１は、背板１０の上下方向に取付具３０を用いて複数の棚部材２０を取り付け、各棚部材２０に複数の商品（ドリンクボトル）Ｂを陳列（載置）した状態を示している。背板１０には、図２に示すように、幅方向の左右に上下方向に整列させて、横長のスリット（貫通溝）１１が形成されている。左右の横長スロット１１は同一高さ位置にある。背板１０の左右には、背板１０に対して直交して前方に延びる側板１２が一体に設けられている。
【００１３】
棚部材２０は、図３、図７に示すように、上下方向に延びる後面壁２１、前面壁２２、左右壁２３及び水平方向に延びる底面壁２４を有する上方が開放された箱状をなしている。後面壁２１の高さは前面壁２２の高さより高く、左右壁２３は前方に向けて高さを減じている。後面壁２１の左右には、同一高さ位置に一対の横長のスリット（貫通溝）２５が形成されている。後面壁２１、前面壁２２、左右壁２３及び底面壁２４で囲まれた空間は、商品載置部２６を構成する。棚部材２０は、段ボールの折曲構造によって構成するのが実際的であるが、本発明は、その折曲構造を問うものではないので、輪郭のみを示している。
【００１４】
図３に単体形状を示す板状部材を折曲した形状をなす取付具３０は、上方から順に、強度板部３１、接続部３２及び棚部材結合部（以下、結合部）３３を有していて、断面略クランク状をなしている。強度板部３１（取付具３０）は、横長スロット１１の幅に対応する幅を有し、横長スロット１１を通して背板１０の前面から後面に挿入して回動させたとき、背板１０の背面に接触（密着）する。接続部３２は、強度板部３１が背板１０の背面に接触した状態で、結合部３３が背板１０の前方に位置するように、背板１０の厚さより十分大きい前後方向長さを有している。
【００１５】
結合部３３には、棚部材２０の後面壁２１の前面に沿う前面部３３ａと、後面壁２１（棚部材２０）に形成した横長スリット２５から挿入されて後面壁２１の後面に密着する後面部３３ｂと、前面部３３ａと後面部３３ｂを接続する接続部３３ｃを有して断面クランク状をなしている。
【００１６】
また取付具３０の接続部３２は、強度板部３１側から結合部３３側にかけて前方が高くなるように傾斜していて、接続部３２と結合部３３とを接続する断面鋭角部３２ａが棚部材２０の後面壁２１の上端部を挟み込む挟着部を構成している。
【００１７】
上記構成の本着脱式取付棚装置は、次のように用いる。以下の手順は、最初に棚部材２０と取付具３０を結合し、その結合体を背板１０の横長スロット１１に取り付ける手順であるが、この手順は逆でもよい。図３、図５に示すように、一対の取付具３０の後面部３３ｂ及び接続部３３ｃをそれぞれ棚部材２０の一対の横長スリット２５に挿入する。後面部３３ｂが後面壁２１の背面に位置し、接続部３３ｃが横長スリット２５内に位置した状態で（図６）、前面部３３ａを棚部材２０後面壁２１に対して持ち上げる（相対回転させる）と、鋭角断面部３２ａ内に後面壁２１の上端部が進入して結合される（図７）。以上で、棚部材２０と取付具３０の結合体が完成する。
【００１８】
次にこの結合体の左右一対の取付具３０の強度板部３１を、背板１０の同一高さ位置の左右の横長スロット１１に挿入する（図８）。挿入する横長スロット１１は、棚部材２０を設置する高さ位置を考慮して予め選択しておく。強度板部３１を横長スロット１１に挿入すると、やがて接続部３２が横長スロット１１に達する。その状態で、棚部材２０（取付具３０の接続部３２）を横長スロット１１を中心にして下方に倒す（回動させる）と、強度板部３１が背板１０の背面（裏面）に接触（密着）する（図９）。このように強度板部３１と背板１０の背面とを接触させると、棚部材２０を背板１０に取り付ける作業は完了する。商品載置部２６には、適宜商品を載置することができる。試作によれば、背板１０と棚部材２０が段ボール製であるにも拘わらず、一つの棚部材２０の商品載置部２６に１０数本の小型の商品（ドリンクボトル）Ｂを並べることができた。
【００１９】
以上は、一つの棚部材２０を背板１０に取り付ける作業であるが、図１に示すように、複数の棚部材２０を上下に整列させて同様に取り付けることができる。
【００２０】
以上の実施形態では、取付具３０の結合部３３を前面部３３ａ、後面部３３ｂ及び接続部３３ｃで形成し、棚部材２０の後面壁２１に横長スリット２５を形成したため、取付具３０の前面部３３ａと後面部３３ｂを横長スリット２５に挿入する作業で棚部材２０と取付具３０（の結合部３３）を結合することができる。しかし、取付具３０の結合部３３は、断面クランク状とすることなく、例えば接着によって棚部材２０の後面壁２１に結合することもできる。また、図７に鎖線で示すように、棚部材２０の底壁部２４にスリット２７を形成し、このスリット２７を通して、取付具３０の結合部３３を挿入し、該結合部３３の下端部に形成したＵ字状部３３ｄを後面壁２１の下端に係止することも可能である。この態様は、棚部材２０が比較的薄い（上下方向長さが短い）ときに採用可能である。
【００２１】
また、以上の実施形態では、取付具３０の接続部３２の前方の端部に鋭角断面部３２ａを形成したため、棚部材２０の後面壁２１との結合強度を容易に高めることができるという利点があるが、鋭角断面部３２ａを形成しない実施形態、あるいは接着剤を併用する実施形態も可能である。
【００２２】
棚部材２０の前面壁２２と左右壁２３（特に前面壁２２）は、必須の要素ではない。底面壁２４（と左右壁２３）だけで、商品載置部２６を形成することも可能である。
【００２３】
また、側板１２と棚部材２０の左右壁２３または底面壁２４とを結合する手段を別途設けてもよい。
【００２４】
本発明に係る着脱式取付棚装置における背板１０（及び側板１２）及び棚部材２０を含む全体は、自立式とすることも可能であるが、全体の薄型化を図り、設置の安定性を確保するためには、背板１０を他の自立物（例えば自立式展示棚と一体のネット部材）に結合する態様が好ましい。
【符号の説明】
【００２５】
１０  背板
１１  横長スロット
１２  側板
２０  棚部材
２１  後面壁
２２  前面壁
２３  左右壁
２４  底面壁
２５  横長スリット
２６  商品載置部
３０  棚部材取付具
３１  強度板部
３２  接続部
３２ａ  鋭角断面部（挟着部）
３３  棚部材結合部
３３ａ  前面部
３３ｂ  後面部
３３ｃ  接続部
【図１】
2016112269.tif 000003
【図２】
2016112269.tif 000004
【図３】
2016112269.tif 000005
【図４】
2016112269.tif 000006
【図５】
2016112269.tif 000007
【図６】
2016112269.tif 000008
【図７】
2016112269.tif 000009
【図８】
2016112269.tif 000010
【図９】
2016112269.tif 000011